【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
１つの流体制御機器に関して所定の基準に基づいてグループ化された交換部品一式をパッケージ化し、このパッケージ化された交換部品一式を、当該交換部品一式に関わる交換部品の使用部位を示す情報が記載された書類を添付して、前記流体制御機器に関する交換部品として提供することを特徴とする流体制御機器の交換部品の提供方法。
【請求項２】
前記交換部品一式は、前記流体制御機器の構成領域単位毎にグループ化されかつパッケージ化されていることを特徴とする請求項１記載の流体制御機器の交換部品の提供方法。
【請求項３】
１つの流体制御機器に関して所定の基準に基づいてグループ化された交換部品一式をパッケージ化し、当該交換部品一式に関わる交換部品の使用部位を示す情報が記載された書類を添付したことを特徴とする流体制御機器の交換部品セット。
【請求項４】
前記交換部品一式を前記流体制御機器の構成領域単位毎にグループ化しかつパッケージ化したことを特徴とする請求項３記載の流体制御機器の交換部品セット。
【請求項５】
前記グループ化された交換部品一式を、当該交換部品を配置するための配置手段に固定して配置したことを特徴とする請求項３または４に記載の流体制御機器の交換部品セット。
【請求項６】
前記交換部品一式の各交換部品それぞれの実寸法に基づく図形と、当該複数の交換部品に関する情報とが記載された書類が添付され、前記書類は、Ｏリングに関するものであり、当該Ｏリングに対応する図形が前記流体制御機器の構成領域単位毎に同心円状に描画されていることを特徴とする請求項３〜５の何れか一項に記載の流体制御機器の交換部品セット。
【請求項７】
前記交換部品一式の各交換部品それぞれの実寸法に基づく図形と、当該複数の交換部品に関する情報とが前記配置手段に記載されていることを特徴とする請求項３〜５の何れか一項に記載の流体制御機器の交換部品セット。
【請求項８】
前記配置手段に記載されている内容は、Ｏリングに関するものであり、当該Ｏリングに対応する図形が前記流体制御機器の構成領域単位毎に同心円状に描画されていることを特徴とする請求項７記載の流体制御機器の交換部品セット。
【請求項９】
前記交換部品一式に関わる交換部品の使用部位を示す情報が前記配置手段に記載されていることを特徴とする請求項３〜８の何れか一項に記載の流体制御機器の交換部品セット。
【請求項１０】
前記流体制御機器は、流体圧アクチュエータであることを特徴とする請求項３〜９の何れか一項に記載の流体制御機器の交換部品セット。
【請求項１１】
前記流体制御機器は、ボールバルブであることを特徴とする請求項３〜９の何れか一項に記載の流体制御機器の交換部品セット。
【手続補正２】
【補正対象書類名】明細書
【補正対象項目名】００１５
【補正方法】変更
【補正の内容】
【００１５】
上記課題を解決するため、本発明の流体制御機器の交換部品の提供方法は、１つの流体制御機器に関して所定の基準に基づいてグループ化された交換部品一式をパッケージ化し、このパッケージ化された交換部品一式を、当該交換部品一式に関わる交換部品の使用部位を示す情報が記載された書類を添付して、前記流体制御機器に関する交換部品として提供することを特徴とする。
【手続補正３】
【補正対象書類名】明細書
【補正対象項目名】００１６
【補正方法】変更
【補正の内容】
【００１６】
これにより、交換部品一式をパッケージ単位で流通させればよいので、１つの流体制御機器に関する交換部品一式を簡便で迅速に流通させることができる。また、交換部品一式をパッケージ単位で部品管理することが可能となるので、１つの流体制御機器に関する交換部品一式の容易な部品管理に寄与することができる。
また、所定の基準に基づいてグループ化された交換部品一式をグループ単位で部品交換すればよいことになり、１つの流体制御機器に関する交換部品一式の部品交換作業の迅速化に寄与することができる。
さらに、交換部品一式に関わる交換部品の使用部位を示す情報が記載された書類を基に、パッケージされた実際の交換部品一式の各交換部品の使用部位を確認することができることになり、１つの流体制御機器に関する交換部品一式の部品交換作業の迅速化に寄与することができる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
本発明の好ましい形態において、前記交換部品一式は、前記流体制御機器の構成領域単位毎にグループ化されかつパッケージ化されていることを特徴とする。
【手続補正７】
【補正対象書類名】明細書
【補正対象項目名】００２１
【補正方法】変更
【補正の内容】
【００２１】
上記課題を解決するため、本発明の流体制御機器の交換部品セットは、１つの流体制御機器に関して所定の基準に基づいてグループ化された交換部品一式をパッケージ化し、当該交換部品一式に関わる交換部品の使用部位を示す情報が記載された書類を添付したことを特徴とする。
【手続補正８】
【補正対象書類名】明細書
【補正対象項目名】００２２
【補正方法】変更
【補正の内容】
【００２２】
これにより、交換部品一式をパッケージ単位で流通させればよいので、１つの流体制御機器に関する交換部品一式を簡便で迅速に流通させることができる。また、交換部品一式をパッケージ単位で部品管理することが可能となるので、１つの流体制御機器に関する交換部品一式の容易な部品管理に寄与することができる。
また、所定の基準に基づいてグループ化された交換部品一式をグループ単位で部品交換すればよいことになり、１つの流体制御機器に関する交換部品一式の部品交換作業の迅速化に寄与することができる。
さらに、交換部品一式に関わる交換部品の使用部位を示す情報が記載された書類を基に、パッケージされた実際の交換部品一式の各交換部品の使用部位を確認することができることになり、１つの流体制御機器に関する交換部品一式の部品交換作業の迅速化に寄与することができる。
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】変更
【補正の内容】
【００２５】
本発明の好ましい形態において、前記交換部品一式を前記流体制御機器の構成領域単位毎にグループ化しかつパッケージ化したことを特徴とする。
【手続補正１２】
【補正対象書類名】明細書
【補正対象項目名】００２９
【補正方法】変更
【補正の内容】
【００２９】
本発明のさらに好ましい形態において、前記交換部品一式の各交換部品それぞれの実寸法に基づく図形と、当該複数の交換部品に関する情報とが記載された書類が添付され、前記書類は、Ｏリングに関するものであり、当該Ｏリングに対応する図形が前記流体制御機器の構成領域単位毎に同心円状に描画されていることを特徴とする。
【手続補正１３】
【補正対象書類名】明細書
【補正対象項目名】００３０
【補正方法】変更
【補正の内容】
【００３０】
これにより、パッケージされている交換部品一式の各交換部品のサイズを、実寸法に基づく図形と例えば規格番号などの交換部品に関する情報とを基に確認することができるので、１つの流体制御機器に関する交換部品一式の部品交換作業の迅速化に寄与することができる。また、実寸法に基づく図形と複数の交換部品に関する情報とが記載された書類が配置手段に添付される場合は、同一の型式でサイズの異なる複数種類の流体制御機器それぞれに関する交換部品一式を配置するための共通の配置手段を使用しつつ、各交換部品のサイズを、実寸法に基づく図形と例えば規格番号などの交換部品に関する情報とを基に確認することができるので、１つの流体制御機器に関する交換部品一式の部品交換作業の迅速化に寄与することができる。
また、Ｏリングの実寸法に基づく図形と例えば規格番号などの交換部品に関する情報とが流体制御機器の構成領域単位に対応して描画されているので、実寸法に基づく図形および交換部品に関する情報を基に実際のＯリングのサイズを確認することができるとともに、流体制御機器の構成領域を基に当該実際のＯリングの使用部位を確認することができ、よって１つの流体制御機器に関する交換部品一式の部品交換作業の迅速化に寄与することができる。また、複数のＯリングそれぞれの実寸法に基づく図形が同心円状に描画されているので、当該図形を描画するための領域つまり書類の大きさを最小限のものとすることができる。
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】